(57)【要約】【課題】  風呂給湯設備において、外気温度や設置環境に影響されずに、常に安定した保温状態を維持し、保温運転を効率良く実施することで、ランニングコストを低減できる。【解決手段】  自動風呂保温装置３０は、風呂の保温温度を設定する手段２３と、循環する風呂水を加熱する風呂用熱交換器９と、風呂水を循環させる循環ポンプ１２と、風呂の湯温を検出する温度センサー１３と、設定されたインターバル時間経過後に風呂温度を検出し、検出した風呂温度が予め設定した風呂追い焚き運転開始温度以下となったら追い焚き運転を開始し、追い焚き運転終了温度になるまで追い焚き運転を継続するよう指令する制御部２とを備える。制御部は、風呂温度検出インターバル時間Δｔｓ中の異なる２つの時間で計測した風呂温度の変化を直線補間して風呂追い焚き運転開始までの時間を推定し、推定した時間を次回の風呂温度検出インターバル時間Δｔｓに設定する。【選択図】図１
2008145046.tif 000002
【特許請求の範囲】
【請求項１】
風呂の保温温度を設定する手段と、循環する風呂水を加熱する風呂熱交換器と、風呂水を循環させる循環ポンプと、風呂の湯温を検出する温度センサーと、設定されたインターバル時間経過後に風呂温度を検出し、検出した風呂温度が予め設定した風呂追い焚き運転開始温度以下となったら追い焚き運転を開始し、追い焚き運転終了温度になるまで追い焚き運転を継続するよう指令する制御部とを備えた自動風呂保温装置において、前記制御部は、風呂温度検出インターバル時間Δｔｓ中の異なる２つの時間で計測した風呂温度の変化を直線補間して風呂追い焚き運転開始までの時間を推定し、推定した時間を次回の風呂温度検出インターバル時間Δｔｓに設定することを特徴とする自動風呂保温装置。
【請求項２】
前記制御部は、前記風呂温度検出インターバル時間Δｔｓ経過後の風呂温度が、風呂追い焚き運転開始温度より高温であれば、追い焚きまでのインターバル時間Δｔｓに、さらにΔｔｓ／ｎ（ｎは正の整数）を付加し、この付加したインターバル時間Δｔｓ／ｎの開始時と終了時の風呂温度を直線補間して風呂追い焚き運転開始温度到達時間を推定することを特徴とする請求項１に記載の自動風呂保温装置。
【請求項３】
前記制御部は、前記風呂温度検出インターバル時間Δｔｓ経過後の風呂温度が風呂保温設定温度を超えていたら、次の風呂温度検出インターバル時間を更新しないことを特徴とする請求項１または請求項２に記載の自動風呂保温装置。
【請求項４】
冷凍サイクルと、風呂の湯を追い焚き回路を用いて追い焚きし、風呂保温温度設定手段が設定した風呂追い焚き開始温度および風呂追い焚き終了温度内に湯温を制御する制御部とを有する自動風呂保温装置において、前記風呂の湯温を検出する温度センサーを設け、前記制御部に、自動風呂保温装置の運転時間を計測可能なタイマ手段と、このタイマ手段が計測した時間および前記温度センサーが検出した湯温を記憶可能なメモリと、追い焚き運転終了後から次回の追い焚き運転までのインターバル時間を推定する手段とを設け、この推定手段は、予め定めた初期インターバル時間の間隔で、前記温度センサーを用いて湯温を検出し、この検出した湯温を直線補間して次回の追い焚きまでのインターバル時間を推定することを特徴とする自動風呂保温装置。
【請求項５】
前記冷凍サイクルは、圧縮機と、蒸発器と、膨張弁，冷媒と水とが熱交換する水―冷媒熱交換器とを順次配管接続して構成されており、前記追い焚き回路は前記水―冷媒熱交換器と浴槽とポンプとを順次配管接続して構成されていることを特徴とする請求項４に記載の自動風呂保温装置。
【発明の詳細な説明】
【技術分野】
【０００１】
本発明は、風呂の湯温を保持する自動風呂保温装置に係り、特にヒートポンプ給湯機に好適な自動風呂保温装置に関する。
【背景技術】
【０００２】
従来の保温装置を有する自動風呂釜の例が、特許文献１に記載されている。この公報に記載の風呂釜においては、季節にかかわらず、常に浴槽の湯温が安定して保温維持されるように、外気温を検出する外気温センサーを浴室等に設置する。設定温度と外気温との温度差に対する湯温監視サンプリング時間の関係を予め記憶部に記憶する。そして、データ処理部が、設定温度と外気温との差を算出し、記憶部からその温度差に対応する湯温監視サンプリング時間を読み出し、設定温度と外気温との温度差の大小に応じて、適切な湯温監視サンプリング時間を設定している。
【０００３】
従来の風呂保温装置の例が、特許文献２に記載されている。この公報に記載の風呂保温装置は、保温動作に必要なインターバル時間を推測し、適切な時間間隔で保温することを目的としている。そのため、浴槽内の湯を所定の温度まで追い焚きし、その追い焚きに要した時間と熱量の少なくともいずれかに基づいて、追い焚きの時間間隔を増減している。
【０００４】
【特許文献１】特開平５−３４００１号公報
【特許文献２】特開平１１−１９３９５６号公報
【発明の開示】
【発明が解決しようとする課題】
【０００５】
上記特許文献１に記載の風呂保温装置では、風呂の放熱による温度低下の原因が、外気温と設定温度の温度差のみならず、浴槽や蓋の保温性能が影響することまでは考慮していないので、例えば、保温性能の良い環境で使用すると、不必要な風呂温度の検出動作が発生する。
【０００６】
この不具合を解消するために、特許文献２では、浴槽や浴槽蓋の保温性能も含めて、風呂の設定温度と外気温との温度差に対する湯温検出インターバル時間の関係データを、予め用意している。しかしながらこの方法においても、風呂の保温性能が、浴槽や蓋の断熱性のみならず浴槽の設置状態にも影響されるので、事前にデータを準備するのが困難である。
【０００７】
本発明は上記従来技術の不具合に鑑みなされたものであり、その目的は、風呂給湯設備において、外気温度や設置環境に影響されずに、常に安定した保温状態を維持し、保温運転を効率良く実施することでランニングコストを低減することにある。
【課題を解決するための手段】
【０００８】
上記目的を達成するための本発明の特徴は、風呂の保温温度を設定する手段と、循環する風呂水を加熱する風呂熱交換器と、風呂水を循環させる循環ポンプと、風呂の湯温を検出する温度センサーと、設定されたインターバル時間経過後に風呂温度を検出し、検出した風呂温度が予め設定した風呂追い焚き運転開始温度以下となったら追い焚き運転を開始し、追い焚き運転終了温度になるまで追い焚き運転を継続するよう指令する制御部とを備えた自動風呂保温装置において、制御部は、風呂温度検出インターバル時間中の異なる２つの時間で計測した風呂温度の変化を直線補間して風呂追い焚き運転開始までの時間を推定し、推定した時間を次回の風呂温度検出インターバル時間Δｔｓに設定するものである。
【０００９】
そしてこの特徴において、制御部は、風呂温度検出インターバル時間Δｔｓ経過後の風呂温度が、風呂追い焚き運転開始温度より高温であれば、追い焚きまでのインターバル時間Δｔｓに、さらにΔｔｓ／ｎ（ｎは正の整数）を付加し、この付加したインターバル時間Δｔｓ／ｎの開始時と終了時の風呂温度を直線補間して風呂追い焚き運転開始温度到達時間を推定するものであってよく、制御部は、風呂温度検出インターバル時間Δｔｓ経過後の風呂温度が風呂保温設定温度を超えていたら、次の風呂温度検出インターバル時間を更新しないものでもよい。
【００１０】
上記目的を達成する本発明の他の特徴は、冷凍サイクルと、風呂の湯を追い焚き回路を用いて追い焚きし、風呂保温温度設定手段が設定した風呂追い焚き開始温度および風呂追い焚き終了温度内に湯温を制御する制御部とを有する自動風呂保温装置において、風呂の湯温を検出する温度センサーを設け、制御部に、自動風呂保温装置の運転時間を計測可能なタイマ手段と、このタイマ手段が計測した時間および温度センサーが検出した湯温を記憶可能なメモリと、追い焚き運転終了後から次回の追い焚き運転までのインターバル時間を推定する手段とを設け、この推定手段は、予め定めた初期インターバル時間の間隔で、温度センサーを用いて湯温を検出し、この検出した湯温を直線補間して次回の追い焚きまでのインターバル時間を推定することにある。
【００１１】
そしてこの特徴において、冷凍サイクルは、圧縮機と、蒸発器と、膨張弁，冷媒と水とが熱交換する水―冷媒熱交換器とを順次配管接続して構成されており、追い焚き回路は前記水―冷媒熱交換器と浴槽とポンプとを順次配管接続して構成されているのが好ましい。
【発明の効果】
【００１２】
本発明によれば、風呂保温装置において、外気温度や設置環境に影響されずに、常に安定した保温状態を維持し、保温運転を効率良く実施できることで、ランニングコストを低減できる。
【発明を実施するための最良の形態】
【００１３】
以下、本発明に係る自動風呂保温装置を有する給湯設備の一実施例を、図面を用いて説明する。初めに、図４を用いて、自動風呂保温装置３０について説明する。図４は、自動風呂保温装置３０のシステム図である。自動風呂保温装置３０は、ヒートポンプ式であり、冷凍サイクルを備えている。
【００１４】
冷凍サイクルでは、圧縮機５の回転軸にモータが接続されている。このモータを、モータ駆動部１が駆動する。冷凍サイクルは、圧縮機５および蒸発器４，膨張弁８，ガスクーラ（追い焚き用熱交換器）９を、順次配管接続して形成される。圧縮機５で圧縮され高温高圧となったガス冷媒は、ガスクーラ９に流入し、浴槽１４からポンプ１２により送り出された浴槽１４の湯と熱交換する。このガスクーラ９では、冷媒の流れと浴槽１４の湯の流れとが、対向流を形成している。
【００１５】
ガスクーラ９で熱交換して温度が低下した冷媒は、膨張弁８に流入する。膨張弁８でほぼ断熱膨張して温度と圧力が低下した冷媒は、蒸発器４で蒸発して低温のガス冷媒として圧縮機５に流入する。一方、浴槽１４の湯は、ポンプ１２によりガスクーラ９に送られ、冷媒と熱交換して温度が上昇して浴槽１４に戻る。これにより、浴槽１４の湯は、追い焚きされる。
【００１６】
なお、圧縮機５の吐出側には、冷媒ガスの吐出圧力を検出する圧力センサー６および吐出温度を検出する温度センサー７が設けられている。また、浴槽１４の湯をガスクーラ９に送出するポンプ１２の入口側には、風呂温度検出用の温度センサー１３が、吐出側には流量センサー１１が設けられている。ガスクーラ９で加熱された浴槽１４の湯温を検出するために、ガスクーラ９の出口には温度センサー１０が設けられている。室外に配置される蒸発器４の近傍には、室外ファン３が配置されており、このファン３に付随するモータをモータ駆動部１が駆動する。
【００１７】
圧縮機５の吐出側に取り付けた各センサー６，７、および浴槽湯を追い焚きする回路に取り付けた各センサー１０，１１，１３の出力は、制御部２に入力される。制御部２は、浴室２２内に配置したリモコン２３との間で信号を送受信する。制御部２は、マイコン
２ａとデータ格納部（メモリ）２ｂとを有しており、各センサーの出力はメモリ２ｂに格納される。制御部２はモータ駆動部１にも接続しており、室外ファン３や圧縮機５の回転速度等を制御する。さらに、制御部２には膨張弁８も接続されており、膨張弁８の開度を制御部は指令する。また、浴槽１４の湯を循環させるポンプ１２も制御部２に接続されており、制御部２からポンプ１２の運転／停止が指令される。
【００１８】
このように構成した自動風呂保温装置３０の動作を、図１にフローチャートで示す。風呂の自動保温運転が開始されると（ステップＳ１）、制御部２は、検出インターバル時間△ｔｓの初期値として、例えば１０分を設定する（ステップＳ２）。それとともに、温度センサー１３を用いて、風呂温度を検出する(ステップＳ３)。検出した風呂温度をＴｆ１、そのときの検出時刻をｔ１として、メモリ２ｂに格納する（ステップＳ４）。
【００１９】
初期値として設定されたインターバル時間△ｔｓが経過するのを待つ（ステップＳ５）。インターバル時間Δｔｓが経過したら、温度センサー１３を用いて再度風呂温度を検出する（ステップＳ６）。検出した風呂温度と予め定めた保温設定温度Ｔｓとを比較する
（ステップＳ７）。
【００２０】
検出した風呂温度が、設定温度Ｔｓ以上であれば、現在時刻ｔ１と風呂温度Ｔｆ１とを新データとしてメモリ２ｂに格納する（ステップＳ４）。以下、ステップＳ４からステップＳ７を、温度センサー１３が検出した風呂温度が設定温度Ｔｓ未満になるまで、繰り返す。一方、温度センサー１３が検出した風呂温度が保温設定温度Ｔｓ未満であれば、ステップＳ８に進み、風呂温度と予め設定した追い焚き開始温度Ｔｏｎとを比較する。
【００２１】
ステップＳ８で風呂温度が予め定めた追い焚き開始温度Ｔｏｎ以下であれば、ステップ
Ｓ９に進み、風呂温度を検出した時刻ｔ２およびそのときの風呂温度Ｔｆ２を、メモリ
２ｂに格納する。制御部２は、今回格納された時刻と風呂温度（ｔ２，Ｔｆ２）と先に格納した時刻と風呂温度（ｔ２，Ｔｆ２）のデータを直線補間する。そして、風呂温度が保温設定温度Ｔｓとなる時刻ｔｓと追い焚き開始温度Ｔｏｎとなる時刻ｔｏｎを求める（ステップＳ１０）。
【００２２】
ステップＳ８において、検出した風呂温度が追い焚き開始温度Ｔｏｎより高ければ、風呂温度を検出した時刻ｔ２とそのときの風呂温度Ｔｆ２を、メモリ２ｂに格納する（ステップＳ１４）。先に格納した時刻ｔ１および風呂温度Ｔｆ１と、今回格納した時刻ｔ２および風呂温度Ｔｆ２のデータを直線補間し、風呂温度がＴｓになる時刻ｔｓを求める（ステップＳ１５）。
【００２３】
ｎを任意の整数として、予め設定する。予め設定したインターバル時間Δｔｓをこのｎで除して、細分されたインターバル時間Δｔｓ／ｎとする。細分されたインターバル時間Δｔｓ／ｎが経過するまで待ち（ステップＳ１６）、その時間Δｔｓ／ｎが経過したら、風呂温度を温度センサー１３を用いて検出する（ステップＳ１７）。検出した風呂温度と予め定めた保温設定温度Ｔｓとを比較する（ステップＳ１８）。
【００２４】
ステップＳ１８で、前回の風呂温度検出後に高温さし湯等で風呂温度が高くなり、保温設定温度Ｔｓ以上になっていれば、ステップＳ４に戻る。現在時刻ｔ１および風呂温度
Ｔｆ１を再設定する。そして、ステップＳ５以下を実行する。ステップＳ１８で、風呂温度が保温設定温度Ｔｓより低いと判断したときは、風呂温度と追い焚き開始温度Ｔｏｎを比較する（ステップＳ１９）。
【００２５】
風呂温度が追い焚き開始温度Ｔｏｎより高ければ、ステップＳ１６に戻り、所定時間
Δｔｓ／ｎが経過するのを待つ。以下、ステップＳ１７以下を繰り返す。風呂温度が追い焚き開始温度Ｔｏｎ以下であれば、現在時刻ｔ３および風呂温度Ｔｆ３としてメモリ２ｂに格納する（ステップＳ２０）。今回格納した現在時刻および風呂温度のデータ（ｔ３，Ｔｆ３）と既に格納した現在時刻および風呂温度のデータ（ｔ２，Ｔｆ２）とを直線補間する。そして、風呂追い焚き開始温度Ｔｏｎにおける風呂追い焚き開始時刻ｔｏｎを求める（ステップＳ２１）。
【００２６】
ステップＳ１０またはステップＳ２１において、風呂追い焚き開始時刻Ｔｏｎを求めたら、温度センサー１３が検出した浴槽１４の湯温が風呂追い焚き終了温度Ｔｏｆｆになるまで、風呂追い焚き運転を継続する（ステップＳ１１）。なお、風呂追い焚き運転中は、風呂循環ポンプ１２を運転し続けるので、上記温度センサー１３の温度を常時監視すれば、風呂（浴槽１４内の湯）温度を監視できる。
【００２７】
浴槽１４内の湯温が風呂追い焚き終了温度Ｔｏｆｆになり、風呂追い焚き運転が終了したら、自動保温運転が継続中か否かを確認する（ステップＳ１２）。自動保温運転の指令で運転が終了していれば、保温運転を終了する(ステップＳ２２)。運転継続中であれば、風呂保温設定温度通過時刻ｔｓと風呂追い焚き開始温度到達時刻ｔｏｎとの間隔（ｔｏｎ−ｔｓ）を、インターバル時間Δｔｓに再設定する（ステップＳ１３）。
【００２８】
以後、ステップＳ５以下を繰り返す。なお、本フローチャートでは、自動保温運転開始（ステップＳ１）した後、予め設定した初期値をインターバル時間Δｔｓに設定した（ステップＳ２）。しかしながら、前回の保温運転時に設定したインターバル時間Δｔｓをメモリ２ｂに格納し、これをステップＳ２で初期値の変わりに用いてもよい。
【００２９】
図２および図３に、上記自動風呂保温装置３０を使用したときの、浴槽１４の湯温（風呂の温度）の変化を示す。風呂保温設定温度Ｔｓは、Ｔｓ＝４２℃、風呂追い焚き開始温度Ｔｏｎは、Ｔｏｎ＝３５℃、風呂追い焚き終了温度Ｔｏｆｆは、Ｔｏｆｆ＝Ｔｓに設定している。これらの図では、風呂保温設定温度Ｔｓおよび風呂追い焚き終了温度Ｔoffを二点鎖線で、風呂追い焚き終了温度を一点鎖線で示している。
【００３０】
なお本実施例では、風呂追い焚き開始温度Ｔｏｎを、Ｔｏｎ＝３５℃と低く設定しているが、風呂の温度変動を小さくしたいのであれば、風呂追い焚き開始温度Ｔｏｎを、例えばＴｏｎ＝３９℃、と高く設定すればよい。また、風呂追い焚き終了温度Ｔｏｆｆと風呂保温設定温度Ｔｓを同じ値に設定したが、異なる値に設定してもよい。
【００３１】
図２では、風呂保温設定温度ＴｓをＴｓ＝４２℃とし、風呂温度が４２℃のときに自動保温運転を開始した例を示している。インターバル時間Δｔｓ＝Δｔｓ０経過後に、風呂温度を温度センサー１３で検出する。風呂温度は風呂追い焚き開始温度Ｔｏｎより低いので、風呂追い焚き運転を開始する。
【００３２】
風呂追い焚き運転を開始するとともに、風呂保温設定温度Ｔｓから風呂追い焚き開始温度Ｔｏｎまで、放熱により湯温が低下する時間Δｔｓ１を求める。具体的には、自動保温運転開始点と風呂追い焚き運転を開始するΔｔｓ０時間経過後の点とを結んだ直線と、風呂追い焚き開始温度Ｔｏｎの境界線（一点鎖線）との交点の値から、風呂保温設定温度
Ｔｓから風呂追い焚き開始温度Ｔｏｎまで、放熱により湯温が低下する時間Δｔｓ１を求める。
【００３３】
風呂追い焚き温度運転を継続して、風呂追い焚き終了温度Ｔｏｆｆになれば、風呂追い焚き運転が終了する。放熱条件があまり変化しなければ、放熱時間Δｔｓ１で湯温が風呂追い焚き開始温度Ｔｏｎになることが予測されるので、このΔｔｓ１を次回のインターバル時間に設定する。同様にして、放熱予測時間Δｔｓ１をΔｔｓ２，Δｔｓ３，…と風呂追い焚きサイクルを繰り返すごとに、修正する。
【００３４】
なお図２において、３回目の風呂温度検出時には、インターバル時間Δｔｓ２後に検出した風呂温度が、追い焚き開始温度Ｔｏｎより高くなっている。そこで、さらに細分されたインターバル時間Δｔｓ２／ｎ（本実施例ではｎ＝２に設定）が経過するまで待ち、温度センサー１３を用いて風呂温度を検出する。
【００３５】
時間Δｔｓ２／ｎ経過したときには、風呂温度は風呂追い焚き開始温度Ｔｏｎ以下であるから、風呂追い焚き運転を開始する。その際、第２回目の風呂追い焚き運転が終了してからΔｔｓ２経過したときの風呂温度と、さらにΔｔｓ２／ｎ時間経過したときの風呂温度とを用いて、風呂追い焚き運転終了から風呂追い焚き開始温度Ｔｏｎ(一点鎖線で表示)になるまでの時間Δｔｓ３を求めている。このΔｔｓ３を第３回目の風呂追い焚き運転後のインターバル時間に設定する。
【００３６】
なおこの図２では、細分されたインターバル時間Δｔｓ２／ｎだけ付加時間を与えると風呂温度が、風呂追い焚き開始温度Ｔｏｎよりも低くなっているが、この付加時間Δｔs2／ｎだけでは風呂追い焚き開始温度Ｔｏｎまで風呂温度が低下していなければ、再度付加時間Δｔｓ２／ｎだけ待って風呂温度を検出する。以下、この手順を繰り返す。また、第３回のインターバル時間Δｔｓ３は放熱時間と一致しているから、インターバル時間
Δｔｓ３経過時に風呂追い焚き運転を開始する。そして、第４回のインターバル時間
Δｔｓ４を、Δｔｓ４＝Δｔｓ３に設定する。
【００３７】
図３に、インターバル時間Δｔｓ中に、高温差し湯等で風呂温度が風呂保温設定温度
Ｔｓより高くなった場合を示す。風呂保温設定温度Ｔｓ（＝４２℃）よりは低いが、風呂追い焚き開始温度Ｔｏｎ（＝３６℃）よりは高い４０℃で、風呂自動保温運転を開始している。インターバル時間Δｔｓ０中に、差し湯をした場合である。
【００３８】
初期設定されたインターバル時間Δｔｓ０経過した後に、温度センサー１３を用いて、風呂温度を検出する。検出した風呂温度が風呂保温設定温度Ｔｓより高いので、風呂の追い焚き運転は見合わせる。そして、現在設定されているインターバル時間Δｔｓ０を、インターバル時間Δｔｓ１に設定する。インターバル時間Δｔｓ１が経過したら、再度温度センサー１３を用いて、風呂温度を検出する。
【００３９】
検出した風呂温度が追い焚き開始温度Ｔｏｎより低いので、初期のインターバル時間
Δｔｓ０が経過したときの風呂温度と、それに続くインターバル時間Δｔｓ１経過した後の風呂温度とを用いて、風呂保温設定温度Ｔｓ（二点鎖線）になるときの時刻と、風呂追い焚き終了温度Ｔｏｆｆ（一点鎖線）になるときの時刻を直線補間で求め、風呂保温設定温度通過時刻および風呂追い焚き開始温度通過時刻とする。
【００４０】
この２つの時刻の差Δｔｓ２は、風呂追い焚き終了温度から風呂追い焚き開始温度まで、浴槽１４の湯温が低下する予測時間である。したがって、この予測時間Δｔｓ２を、次のインターバル時間Δｔｓ２に設定する。それとともに、風呂追い焚き終了温度Ｔｏｆｆになるまで風呂追い焚き運転を実行する。以後、図２の実施例に示したのと同様の手順を繰り返す。
【００４１】
本実施例によれば、風呂追い焚き運転終了時から風呂温度を検出するまでのインターバル時間を、浴槽の保温性能や外気温度の影響を受けずに実際の風呂温度の変化に基づいて設定できる。したがって、常に浴槽１４を適切な保温状態に維持でき、かつ、風呂温度検出を含めた保温運転を効率良く行える。
【００４２】
図５に、本発明に係る給湯設備の他の実施例を示す。上記実施例では冷凍サイクルの冷媒により、直接浴槽の湯を加熱して追い焚きしていたが、本実施例では、給湯用熱交換器９ａと追い焚き用熱交換器９ｂとを有している。これにより、給湯時にはバルブ１９を開き、バルブ２０を閉じて、冷凍サイクルが備える給湯用熱交換器９ａを流通する冷媒で、逆止弁１８およびポンプ１６を経た風呂注湯用の水を加熱し、温度調整用の混合弁２１とバルブ１７を経て浴槽１４に注湯する。このとき、水は、入水圧力によりサイクル内に流れる。したがって、ポンプ１６の運転は不要になるが、流量を増大させたいときにはポンプ１６を運転してもよい。
【００４３】
一方、風呂追い焚き運転では、バルブ１９を閉じバルブ２０を開く。ポンプ１６を運転する。そして、給湯用熱交換器９ａで加熱した湯を、追い焚き用熱交換器９ｂに循環させる。風呂循環ポンプ１２から送られた浴槽１４の湯と熱交換させる。これにより、風呂追い焚き運転する。本実施例によれば、風呂注湯と追い焚きに同じ熱源を用いることができるので、風呂湯張りをした直後に追い焚きするときには、湯張り後の冷凍サイクルの余熱をそのまま追い焚きに利用でき効率が向上する。また、機器を小型化できる。なお、この図５では制御部分の図示を省略したが、制御部およびモータ駆動部は、図４に示した実施例と同様の構成である。
【００４４】
上記各実施例では、風呂温度保温装置の各設定温度や設定時間を浴室内に配置したリモコンで設定したが、台所等の浴室以外にリモコンを配置してもよいことは言うまでもない。浴室以外に設置したときは、風呂を使用する前に設定する場合、わざわざ浴室まで行く必要がなく、設定が便利である。
【図面の簡単な説明】
【００４５】
【図１】本発明に係る自動風呂保温装置の動作を説明するフローチャート。
【図２】本発明に係る自動風呂保温装置の保温運転時の風呂湯温の変化を説明するグラフ。
【図３】本発明に係る自動風呂保温装置の保温運転時の風呂湯温の変化を説明するグラフ。
【図４】本発明に係る自動風呂保温装置を搭載したヒートポンプ給湯機の一実施例のシステム図。
【図５】本発明に係る自動風呂保温装置を搭載したヒートポンプ給湯機の他の実施例のシステム図。
【符号の説明】
【００４６】
１  モータ駆動部
２  制御部
２ａ  マイコン（推定手段）
２ｂ  データ格納部（メモリ）
３  ファン
４  蒸発器
６  圧力センサー
７  温度センサー
８  膨張弁
９  ガスクーラ（風呂追い焚き用熱交換器）
１０  温度センサー
１１  流量センサー
１２  風呂循環ポンプ
１３  温度センサー（風呂温度検出用）
１４  浴槽
２３  リモコン（風呂保温温度設定手段）
【図１】
2008145046.tif 000003
【図２】
2008145046.tif 000004
【図３】
2008145046.tif 000005
【図４】
2008145046.tif 000006
【図５】
2008145046.tif 000007